(57)【特許請求の範囲】
【請求項１】
多方向にスライド可能に保持された操作部材と、この操作部材の外周部に配設された導電性の複数の可動接触部と、抵抗体が設けられ、前記操作部材の周囲に配置された複数の絶縁基板とを備え、前記操作部材は、前記可動接触部を外周部に設けた作動体と、この作動体の中心部にはめ合わされた駆動体とを有し、複数の前記可動接触部のそれぞれが複数の前記抵抗体に対向して配置され、前記駆動体のスライド移動時に前記作動体が変形し前記可動接触部が移動して、前記可動接触部が前記抵抗体に対して接触面積を可変すると共に、前記駆動体への操作力が解除された時、前記作動体によって前記駆動体が移動前の状態に復帰するようにしたことを特徴とする多方向入力装置。
【請求項２】
二つの前記絶縁基板は、両者で成す角が直角となるように配置され、前記操作部材の軸線と対向する前記絶縁基板の面に前記抵抗体を設けたことを特徴とする請求項１記載の多方向入力装置。
【請求項３】
四つの前記絶縁基板を四角状に配置し、前記操作部材の軸線と対向する前記絶縁基板の面に前記抵抗体を設けたことを特徴とする請求項１記載の多方向入力装置。
【請求項４】
前記作動体は、ゴム材で形成されると共に、中心部に前記駆動体を配置したリング状部と、このリング状部から四方に延びた脚部とを有し、この脚部間に位置する前記リング状部の外周部に前記可動接触部を配置すると共に、前記脚部の先端部を保持したことを特徴とする請求項１から３の何れかに記載の多方向入力装置。
【請求項５】
前記操作部材は、前記駆動体の中心部で上下動可能な操作体を有すると共に、この操作体の下部には、プッシュスイッチが配置され、前記操作体の下方への押圧操作によって、前記プッシュスイッチを操作すると共に、前記操作体の横方向へのスライド移動によって、前記駆動体を駆動するようにしたことを特徴とする請求項１から４の何れかに記載の多方向入力装置。
【請求項６】
固定接点が埋設された絶縁基体と、この絶縁基体の凹部内に配置された可動接点とを有し、前記固定接点と前記可動接点とで前記プッシュスイッチが構成されると共に、前記絶縁基体が前記操作体の下部に配置され、前記操作体の押圧操作によって前記可動接点が押されて、前記プッシュスイッチを操作するようにしたことを特徴とする請求項５記載の多方向入力装置。
【請求項７】
前記絶縁基体の外周部には、前記絶縁基板が配置され、この絶縁基板と前記絶縁基体とが筺体で取り付けられると共に、前記操作体の一部が前記筺体の上面板に設けられた孔から外方に突出した状態で、前記駆動体が前記上面板と前記絶縁基体との間でスライド可能に保持されたことを特徴とする請求項６記載の多方向入力装置。
【発明の詳細な説明】
【０００１】
【発明の属する技術分野】
本発明は、ゲーム機等の電子機器に使用して好適な多方向入力装置に関する。
【０００２】
【従来の技術】
従来のジョイスティック型の多方向入力装置を図１４に基づいて説明すると、金属板が折り曲げられて形成された筺体３１は、大きな孔３１ａを有する上面板３１ｂと、この上面板３１ｂの四方から下方に折り曲げされた側面板３１ｃとを有する。
【０００３】
回転型の可変抵抗器からなる複数の電気部品３２ａ、３２ｂは、箱形のケース３３と、このケース３３の開放部に取り付けられ、抵抗体（図示せず）を設けた絶縁基板３４と、この絶縁基板３４に回転可能に取り付けられ、抵抗体上を摺動する摺動子（図示せず）を取り付けた回転体３５とで構成されて、それぞれが単体の電気部品３２ａ、３２ｂとして形成されている。
そして、隣り合う側面板３１ｃにケース３３を取り付けて、２個の電気部品３２ａ、３２ｂが互いに直角状態に取り付けられている。
【０００４】
第１，第２連動部材３６，３７は、中央部にスリット３６ａ、３７ａを有し、この第１，第２連動部材３６、３７は、互いに十字状になるように配置された状態で、筺体３１の対向する側面板３１ｃ間に回転可能に取り付けられている。
即ち、第１連動部材３６の両端部は、側面板３１ｃの対向する孔３１ｄに嵌合されると共に、その一端部が一つの電気部品３２ａの回転体３５と係合し、また、第２連動部材３７の両端部は、側面板３１ｃの対向する孔３１ｅに嵌合されると共に、その一端部がもう一つの電気部品３２ｂの回転体３５と係合している。そして、第１，第２連動部材３６，３７が同時、或いは単独に回転した時、回転体３５も回転し、これによって、摺動子が抵抗体上を摺動して、抵抗値を可変し、電気部品３２ａ、３２ｂが操作されるようになっている。
【０００５】
孔３８ａを有する操作体３８は、第１，第２連動部材３６，３７のスリット３６ａ、３７ａに挿通され、第２連動部材３７に設けた孔３７ｂと操作体３８の孔３８ａに挿通された止め棒３９によって、第２連動部材３７に回動可能に取り付けられると共に、操作体３８の上部は、孔３１ａから上方に突出して、先端部には摘み４０が取り付けられている。
【０００６】
そして、操作体３８がスリット３７ａに沿って矢印Ｘ方向に回転（傾倒）した時、操作体３８は、第１連動部材３６を押圧して、第１連動部材３６を回転して電気部品３２ａを操作し、また、操作体３８がスリット３６ａに沿って矢印Ｙ方向に回転（傾倒）した時、操作体３８は、第２連動部材３７を押圧して、第２連動部材３７を回転して電気部品３２ｂを操作し、更に、操作体３８が矢印Ｘ方向と矢印Ｙ方向の間で回転（傾倒）した時、操作体３８は、第１、第２連動部材３６、３７を押圧して、第１、第２連動部材３６、３７を回転して電気部品３２ａ、３２ｂを同時に操作するようになっている。
【０００７】
金属板からなる底板４１は、中部に設けられた筒状の膨出部４１ａを有し、この底板４１は、筺体３１の下部の開放部を塞ぐように、筺体３１の下部に取り付けられている。
金属板を絞り加工等して形成された第１揺動部材４２は、底壁４２ａを有する筒状部４２ｂと、筒状部４２ｂの上端に設けられた鍔部４２ｃとを有し、また、金属板を絞り加工等して形成された第２揺動部材４３は、底壁４３ａを有する筒状部４３ｂを有する。
【０００８】
そして、第１揺動部材４２の筒状部４２ｂ内に、第２揺動部材４３を位置した状態で、第１，第２揺動部材４２，４３が筺体３１内に配置されると共に、底板４１と第１揺動部材４２の鍔部４２ｃ間には、コイルバネ４４を介在させ、このコイルバネ４４によって、第１，第２揺動部材４２，４３を上方に弾圧し、第２揺動部材４３の底壁４３ａを操作体３８の下端部に弾圧している。
【０００９】
この構成によって、第１揺動部材４２は、コイルバネ４４によって、常に水平状態を維持するようになっているため、第１揺動部材４２の底壁４２ａ上に、底壁４３ａが載置された第２揺動部材４３も水平状態を維持するようになっている。
そして、通常時は、操作体３８の下端部が第１，第２揺動部材４２，４３の中心部に位置して、操作体３８を直立状態で維持するようになっているが、操作体３８を回転（傾倒）した時、操作体３８の下端部が第１，第２揺動部材４２，４３の中心から外れて、その結果、第１，第２揺動部材４２，４３は水平状態が崩れて、傾いた状態となる。
【００１０】
また、操作体３８の傾倒動作を解除すると、コイルバネ４４によって、第１，第２揺動部材４２，４３が水平状態に戻るようになると共に、この動作で、操作体３８も直立状態に戻されるようになっている。
即ち、第１，第２揺動部材４２，４３とコイルバネ４４によって、操作体３８の自動復帰を行わしめるための復帰手段が形成されている。
【００１１】
このような構成を有する従来の多方向入力装置の動作を説明すると、先ず、摘み４０を摘んで操作体３８を傾倒させると、操作体３８は止め棒３９を支点として傾倒し、その結果、操作体３８が第１連動部材３６，又は／及び第２連動部材３７を押圧して、これを回転させる。
すると、第１，第２連動部材３６，３７がそれぞれ電気部品３２ａ、３２ｂの回転体３５を回転させて、電気部品３２ａ、３２ｂを操作する。
【００１２】
また、操作体３８の傾倒動作によって、操作体３８の下端部が第２揺動部材４３の中心位置から外れて、第１，第２揺動部材４２，４３が傾いた状態となる。次に、操作体３８への傾倒動作を解除すると、コイルバネ４４によって、第１，第２揺動部材４２，４３が水平状態に戻るようになると共に、この動作で、操作体３８も直立状態の元の状態に戻される。
このようにして、従来の多方向入力装置の動作が行われるものである。
【００１３】
【発明が解決しようとする課題】
従来の多方向入力装置は、操作体３８の傾倒動作によって電気部品３２ａ、３２ｂの操作を行うために、縦方向に大型となるという問題がある。
また、操作体３８の他に、第１，第２連動部材３６，３７と、第１，第２揺動部材４２，４３と、底板４１，及びコイルバネ４４の部品を必要とし、部品点数が多くなって、コスト高であるばかりか、これ等の部品によって大型になるという問題がある。
【００１４】
そこで、本発明は小型で、部品点数が少なく、安価な多方向入力装置を提供することを目的とする。
【００１５】
【課題を解決するための手段】
上記課題を解決するための第１の解決手段として、多方向にスライド可能に保持された操作部材と、この操作部材の外周部に配設された導電性の複数の可動接触部と、抵抗体が設けられ、前記操作部材の周囲に配置された複数の絶縁基板とを備え、前記操作部材は、前記可動接触部を外周部に設けた作動体と、この作動体の中心部にはめ合わされた駆動体とを有し、複数の前記可動接触部のそれぞれが複数の前記抵抗体に対向して配置され、前記駆動体のスライド移動時に前記作動体が変形し前記可動接触部が移動して、前記可動接触部が前記抵抗体に対して接触面積を可変すると共に、前記駆動体への操作力が解除された時、前記作動体によって前記駆動体が移動前の状態に復帰するようにした構成とした。
【００１６】
また、第２の解決手段として、二つの前記絶縁基板は、両者で成す角が直角となるように配置され、前記操作部材の軸線と対向する前記絶縁基板の面に前記抵抗体を設けた構成とした。
また、第３の解決手段として、四つの前記絶縁基板を四角状に配置し、前記操作部材の軸線と対向する前記絶縁基板の面に前記抵抗体を設けた構成とした。
【００１７】
また、第４の解決手段として、前記作動体は、ゴム材で形成されると共に、中心部に前記駆動体を配置したリング状部と、このリング状部から四方に延びた脚部とを有し、この脚部間に位置する前記リング状部の外周部に前記可動接触部を配置すると共に、前記脚部の先端部を保持した構成とした。
【００１８】
また、第５の解決手段として、前記操作部材は、前記駆動体の中心部で上下動可能な操作体を有すると共に、この操作体の下部には、プッシュスイッチが配置され、前記操作体の下方への押圧操作によって、前記プッシュスイッチを操作すると共に、前記操作体の横方向へのスライド移動によって、前記駆動体を駆動するようにした構成とした。
【００１９】
また、第６の解決手段として、固定接点が埋設された絶縁基体と、この絶縁基体の凹部内に配置された可動接点とを有し、前記固定接点と前記可動接点とで前記プッシュスイッチが構成されると共に、前記絶縁基体が前記操作体の下部に配置され、前記操作体の押圧操作によって前記可動接点が押されて、前記プッシュスイッチを操作するようにした構成とした。
【００２０】
また、第７の解決手段として、前記絶縁基体の外周部には、前記絶縁基板が配置され、この絶縁基板と前記絶縁基体とが筺体で取り付けられると共に、前記操作体の一部が前記筺体の上面板に設けられた孔から外方に突出した状態で、前記駆動体が前記上面板と前記絶縁基体との間でスライド可能に保持された構成とした。
【００２２】
【発明の実施の形態】
本発明の多方向入力装置の図面を説明すると、図１は本発明の多方向入力装置の拡大断面図、図２は本発明の多方向入力装置に係り、筺体を取り除いた状態を示す平面図、図３は本発明の多方向入力装置の要部の拡大断面図、図４は本発明の多方向入力装置に係り、絶縁基体の製造方法を示す平面図、図５は図４の５−５線における断面図である。
【００２３】
また、図６は本発明の多方向入力装置に係る作動体の平面図、図７は図６の７−７線における断面図、図８は本発明の多方向入力装置に係る駆動体の平面図、図９は図８の９−９線における断面図、図１０は本発明の多方向入力装置に係る操作体の平面図、図１１は図１０の１１−１１線における断面図、図１２は本発明の多方向入力装置に係る筺体の平面図、図１３は図１２の１３−１３線における断面図である。
【００２４】
次に、本発明の多方向入力装置の構成を図１〜図１３に基づいて説明すると、合成樹脂の成型品からなる絶縁基体１は、特に図４，図５に示すように、四角形状の平板状をなし、外周部の各辺に設けられた４個の凹部１ａと、中央部に設けられた円弧状の一対の突壁１ｂとを有する。
金属板からなる第１，第２固定接点２，３は、インサート成型によって絶縁基体１に埋設されて取り付けられている。
【００２５】
そして、第１固定接点２は、突壁１ｂ内の中央部において接点部２ａが露出すると共に、端子部２ｂが絶縁基体１の外周部から突出し、また、第２固定接点３は、突壁１ｂ内において、接点部２ａを囲んだ状態で接点部３ａが露出すると共に、端子部３ｂが絶縁基体１の外周部から突出している。
【００２６】
また、この突壁１ｂ内には、図１に示すように、金属バネ板からなるドーム状の可動接点４が配置されている。
そして、この可動接点４は、周縁部の下端が常時、接点部３ａに接触すると共に、中央部が接点部２ａと対向した状態にあり、可動接点４の中央部が押されると、中央部がクリック感を持って反転して接点部２ａに接触し、第１，第２固定接点２，３がＯＮ状態となり、また、可動接点４の押圧が解除されると、可動接点４が自己復帰して第１，第２固定接点２，３間がＯＦＦ状態となる。
このように、第１，第２固定接点２，３と可動接点４とでプッシュスイッチＰが形成されている。
【００２７】
合成樹脂の成型品からなる絶縁基板５は、特に図４，図５に示すように、矩形状をなす基部５ａと、基部５ａの一側部から突出する凹部５ｃを有する凸部５ｂとを有する。
また、この絶縁基板５は、絶縁基体１の４辺にそれぞれ位置すると共に、絶縁基板５と絶縁基体１とにインサート成型により埋設された金属板からなる一対の金属体６により、それぞれの絶縁基板５が絶縁基体１に連結されている。
【００２８】
そして、この絶縁基板５に埋設された一対の金属体６の一端は、絶縁基板５の表面から露出した状態となっており、この絶縁基板５の表面に抵抗体７が塗布、或いは吹き付け等の方法により形成されて、抵抗体７の両端側がそれぞれ金属体６の一端に接触した状態となっている。
【００２９】
このような構成を有する絶縁基板５は、外側に突出するように金属体６を折り曲げて、凸部５ｂを凹部１ａにはめ合わせると共に、基部５ａの側部を絶縁基体１の表面に載置して、抵抗体７の面が絶縁基体１に対して垂直状態になるように、絶縁基板５を絶縁基体１に対して垂直状態に取り付ける。
そして、絶縁基板５が絶縁基体１に対して垂直状態に取り付けられた際、抵抗体７の面は、絶縁基体１の中央部方向に向いた状態になると共に、折り曲げられた金属体６は、抵抗体７の端子としての役目をなしている。
【００３０】
このような状態で、四つの絶縁基板５が絶縁基体１に対して四角状に配置されており、この時、隣り合う絶縁基板５間の絶縁基体１の隅部には、空間部１ｃ（図４参照）が存在したものとなっている。
なお、この実施例では、四つの絶縁基板５を四角状に配置したもので説明したが、二つの絶縁基板５を直角状に配置したものでも良い。
また、絶縁基体１を八角形状とし、絶縁基板５を八角状に配置しても良い。
【００３１】
次に、絶縁基体１と絶縁基板５の製造方法を図４，図５に基づいて説明すると、絶縁基体１には、１枚の金属板を所定の形状に折り曲げ、或いは打ち抜いた第１，第２固定接点２，３、及び金属体６の一部がインサート成型され、また、四つの絶縁基板５には、金属体６の一部がインサート成型されて、絶縁基体１と絶縁基板５とが同時に成型加工される。
【００３２】
そして、成型加工された四つの絶縁基板５は、それぞれが一対の金属体６によって、絶縁基体１から離れた状態で絶縁基体１に連結された状態となっている。
次に、絶縁基板５の表面に、塗布等の方法によって抵抗体７を形成した後、外側に突出するように金属体６を折り曲げて、凸部５ｂを凹部１ａにはめ合わせると共に、基部５ａの側部を絶縁基体１の表面に載置して、抵抗体７の面が絶縁基体１に対して垂直状態になるように、絶縁基板５を絶縁基体１に対して垂直状態に取り付けると、絶縁基体１と絶縁基板５の製造が完了する。
【００３３】
絶縁性のゴム材からなる作動体８は、特に図６，図７に示すように、中央部に矩形状の孔８ａを有する四角状のリング状部８ｂと、このリング状部８ｂの四方から放射状に延びる４個の脚部８ｃとを有する。
また、導電ゴム材、或いは金属バネ板等からなる可動接触部９は、作動体８の脚部８ｃ間に位置するリング状部８ｂの外周部に配設されている。
この可動接触部９は、作動体８を成型加工する際に、同時に成型加工されて、作動体８と一体化されており、本実施例では両者の材質が同一のもので形成されている。
【００３４】
そして、この作動体８は、図２に示すように、リング状部８ｂよりも厚みの大きな脚部８ｃが絶縁基体１の空間部１ｃに載置され、リング状部８ｂが絶縁基体１から若干離れた状態で取り付けられる。
この時、可動接触部９は、抵抗体７と僅かに離れた状態で対向した状態になると共に、孔８ａは、絶縁基体１の中央部に位置して、孔８ａから第１，第２固定接点２，３と突壁１ｂが露出した状態となっている。
【００３５】
合成樹脂の成型品等からなる駆動体１０は、特に図８，図９に示すように、平板で矩形状の基部１０ａと、基部１０ａの中央部から上方に突出する凸部１０ｂと、基部１０ａの中央部に設けられた小判型の孔１０ｃと、凸部１０ｂの中央部に設けられ、孔１０ｃに連通する円形の孔１０ｄとを有する。
そして、この駆動体１０は、作動体９の孔８ａ内に基部１０ａがはめ合わされると共に、基部１０ａの下面が突壁１ｂ上に当接した状態で配置されている。
【００３６】
この駆動体１０は、多方向にスライド可能となっており、図２に示すように、矢印Ａ１方向にスライド移動させた時、リング状部８ｂから放射状に延びる脚部８ｃ、及び矢印Ａ１方向に延びるリング状部８ｂの桟部を変形させて、可動接触部９を抵抗体７に押し付けるようになる。
そして、この駆動体１０のスライドの移動量によって、可動接触部９は、抵抗体７に対して接触面積が変化し、その結果、端子である一対の金属体６間の抵抗値が可変されるようになる。
また、駆動体１０のスライド動作を解除すると、脚部８ｃの自己の弾性によって、駆動体１０が移動前の状態に復帰すると共に、可動接触部９も抵抗体７と非接触状態の移動前の状態に戻される。
【００３７】
また、矢印Ａ２、Ａ３，Ａ４方向に駆動体１０をスライドされた時も、上記と同様に原理により、それぞれ単一の抵抗体７の抵抗値が可変されるようになっている。
このように、１個の抵抗体７と１個の可動接触部９とで、１個の可変抵抗器からなる電気部品Ｄが構成され、この実施例では４個の電気部品Ｄが形成されたものとなっている。
【００３８】
また、隣り合う絶縁基板５間方向である放射方向に駆動体１０をスライドさせると、二つの可動接触部９がそれぞれの抵抗体７に押しつけれらるようになって、その結果、二つの抵抗体７に対する接触面積が同時に可変して、二つの電気部品Ｄが操作されるようなる。
【００３９】
合成樹脂の成型品等からなる操作体１１は、特に図１０，図１１に示すように、円柱状の軸部１１ａと、軸部１１ａの下部に設けられた小判型の非円形状の鍔部１１ｂと、下端部に設けられた凸部１１ｃとを有する。
そして、この操作体１１は、駆動体１０の下方から孔１０ｃ、１０ｄに挿通されて、図１に示すように、軸部１１ａが孔１０ｄから上方に突出すると共に、鍔部１１ｂが孔１０ｃ内に位置して、係止された状態で、上下動可能であるが回転不能に駆動体１０に取り付けられている。
この操作体１１と、駆動体１０、及び作動体８とによって、可動接触部９を駆動するための操作部材Ｓが構成されている。
【００４０】
また、この操作体１１が取り付けられた際、下部の凸部１１ｃが可動接点４の中央部に当接し、可動接点４のバネ性により、操作体１１が上方に弾圧されて、鍔部１１ｂが駆動体１０に弾接された状態となっている。
そして、操作体１１を下方に押圧すると、可動接点４が押されて反転し、プッシュスイッチＰが操作されると共に、操作体１１の押圧動作を解除すると、可動接点４のバネ性により、操作体１１が元の位置に戻されるようになる。
更に、軸部１１ａを摘んで、操作体１１を横方向へスライドすると、操作体１１で駆動体１０をスライド移動するようになっている。
【００４１】
金属板を折り曲げ加工する等して形成された矩形状の筺体１２は、特に図１２，図１３に示すように、矩形状の上面板１２ａと、この上面板１２ａの中央部に設けられた円形の孔１２ｂと、上面板１２ａの四方から下方に折り曲げて形成された側面板１２ｃと、この側面板１２ｃの下端から外方に折り曲げて形成され、プリント基板（図示せず）への取付部となる複数の取付片１２ｄと、側面板１２ｃの下辺の中間部に位置し、この側面板１２ｃの下端から下方に延びて形成された取付部１２ｅとを有する。
【００４２】
そして、この筺体１２内には、絶縁基板５，作動体８，及び駆動体１０を収納した状態で、取付部１２ｅを前記凸部５ｂに設けた凹部５ｃ内に位置した状態で、絶縁基体１の下面側に折り曲げして、それらが一体的に組み合わされている。
このように筺体１２が取り付けられた際、孔１２ｂから駆動体１０の凸部１０ｂと操作体１１の軸部１１ａが突出すると共に、駆動体１０の基部１０ａが上面板１２ａと突壁１ｂとの間で挟持されて、この間で、駆動体１０のスライド移動時のガイドが構成されている。
【００４３】
また、脚部８ｃの先端部は四角形であり、隣接する絶縁基板５の端面の間に挟まれて、平面方向の移動が規制され、更に、筺体１２が取り付けられると、厚みの大きな脚部８ｃの先端部が上面板１２ａによって絶縁基体１に押し付けられて支持され、この支持によって脚部８ｃの先端部の動きを防いで、リング状部８ｂの桟部、及び脚部８ｃの変形を容易にして、中立位置への自動復帰を容易にすると共に、可動接触部９が上面板１２ａと絶縁基体１とに接触しない状態で配置されており、更に、抵抗体７は、操作体１１の軸線Ｇと対向した状態となっている。
【００４４】
次に、上記のような構成を有する本発明の多方向入力装置の動作を説明すると、先ず、操作体１１を、例えば、矢印Ａ１方向に横方向にスライドさせると、この操作体１１に伴って駆動体１０がスライド移動して、リング状部８ｂの桟部を押圧し、移動方向に沿って形成されたリング状部８ｂの桟部、及び脚部８ｃを変形させる。
すると、可動接触部９が抵抗体７に押し付けられ、この駆動体１０のスライドの移動量によって、可動接触部９は、抵抗体７に対して接触面積が変化し、その結果、端子である一対の金属体６間の抵抗値が可変されるようになる。
また、操作体１１のスライド動作を解除すると、作動体８の自己の弾性によって、駆動体１０、及び操作体１１が移動前の状態に復帰すると共に、可動接触部９も抵抗体７と非接触状態の移動前の状態に戻される。
【００４５】
次に、隣り合う絶縁基板５間方向である放射方向に操作体１１をスライドさせると、駆動体１０を介して移動方向と反対側に位置する隣り合う二つのリング状部８ｂの桟部と脚部８ｃが同時に変形して、二つの可動接触部９がそれぞれの抵抗体７に押しつけれらるようになって、その結果、二つの抵抗体７に対する接触面積が同時に可変して、二つの電気部品Ｄが操作されるようなる。
また、操作体１１のスライド動作を解除すると、前述と同様に、作動体８の自己の弾性によって、駆動体１０、及び操作体１１が移動前の状態に復帰すると共に、二つの可動接触部９も抵抗体７と非接触状態の移動前の状態に戻される。
【００４６】
次に、操作体１１を下方向に押圧すると、操作体１１は駆動体１０にガイドされて下方に移動し、可動接点４が押されて反転し、プッシュスイッチＰが操作されて、ＯＮ状態になり、また、操作体１１の押圧動作を解除すると、可動接点４のバネ性により、操作体１１が元の位置に戻されると共に、プッシュスイッチＰがＯＦＦ状態となる。
このようにして、本発明の多方向入力装置の操作が行われるものである。
【００４７】
なお、前記実施例では、操作部材Ｓが作動体８，駆動体１０，及び操作体１１のそれぞれが別部品で形成されたもので説明したが、これ等の三つの部品をゴム材によって一体的に形成して操作部材Ｓを構成して、この操作部材Ｓによって、横方向のスライド動作と、上下方向の動作とを行うようにしても良い。
また、上記実施例においては、可動接触部９と作動体８を、一つの材料により同時に形成したが、可動接触部９と導電ゴムで形成し、作動体８を絶縁ゴムで形成しても良い。
【００４８】
更には、上記実施例においては、絶縁基体１上にプッシュスイッチＰを設けたもので説明したが、単品からなるプッシュスイッチＰを使用しても良く、更に、このプッシュスイッチＰは、必要に応じて無くしても良い。
【００４９】
【発明の効果】
本発明の多方向入力装置において、操作部材Ｓのスライド動作によって、可動接触部９が移動して、可動接触部９が抵抗体７に対して接触面積を可変するようにしたため、従来の操作体を傾倒動作するものに比して、縦方向が著しく小さくでき、小型の多方向入力装置が提供できる。
また、従来に比して部品点数を少なくできて、生産性の良好で、安価な小型の多方向入力装置が提供できる。
【００５０】
また、二つの絶縁基板５は、両者で成す角が直角となるように配置され、操作部材Ｓの軸線Ｇと対向する絶縁基板５の面に抵抗体７を設けたため、その構成が簡単となり、生産性が良く、安価な多方向入力装置が提供できる。
【００５１】
また、四つの絶縁基板５を四角状に配置し、操作部材Ｓの軸線Ｇと対向する絶縁基板５の面に抵抗体７を設けたため、その構成が簡単となり、生産性が良く、安価な多方向入力装置が提供できる。
【００５２】
また、操作部材Ｓは、可動接触部９を外周部に設けた作動体８と、この作動体８の中心部にはめ合わされた駆動体１０とを有し、駆動体１０のスライド移動時に作動体８が変形して、可動接触部９が抵抗体７に対して接触面積を可変すると共に、駆動体１０への操作力が解除された時、作動体８によって駆動体１０が移動前の状態に復帰するようにしたため、従来の復帰構造に比して、部品点数が少なく、生産性が良く、安価で小型の多方向入力装置が提供できる。
【００５３】
また、作動体８は、ゴム材で形成されると共に、中心部に駆動体１０を配置したリング状部８ｂと、このリング状部８ｂから四方に延びた脚部８ｃとを有し、この脚部８ｃ間に位置するリング状部８ｂの外周部に可動接触部９を配置すると共に、脚部８ｃの先端部を保持したため、この支持によって脚部８ｃの先端部の動きを防いで、リング状部８ｂの桟部の変形を容易にできるものが得られる。
【００５４】
また、操作部材Ｓは、駆動体１０の中心部で上下動可能な操作体１１を有すると共に、この操作体１１の下部には、プッシュスイッチＰが配置され、操作体１１の下方への押圧操作によって、プッシュスイッチＰを操作すると共に、操作体１１の横方向へのスライド移動によって、駆動体１０を駆動するようにしたため、操作体１１で電気部品Ｄの操作とプッシュスイッチＰの操作ができて、操作性の良好な多方向入力装置が提供できる。
【００５５】
また、固定接点２，３が埋設された絶縁基体１と、この絶縁基体１の凹部内に配置された可動接点４とを有し、固定接点２，３と可動接点４とでプッシュスイッチＰが構成されると共に、絶縁基体１が操作体１１の下部に配置され、操作体１１の押圧操作によって可動接点４が押されて、プッシュスイッチＰを操作するようにしたため、その構成が簡単となり、生産性が良く、安価な多方向入力装置が提供できる。
【００５６】
また、矩形状をなした絶縁基体１の外周部には、絶縁基板５が配置され、この絶縁基板５と絶縁基体１とが筺体１２で取り付けられると共に、操作体１１の一部が筺体１２の上面板１２ａに設けられた孔から外方に突出した状態で、駆動体１０が上面板１２ａと絶縁基体１との間でスライド可能に保持されたため、駆動体１０が上面板１２ａと絶縁基体１との間で挟持されて、この間で、駆動体１０のスライド移動時のガイドが構成されて、駆動体１０のスライド移動が確実で、スムースなものが得られる。
【図面の簡単な説明】
【図１】本発明の多方向入力装置の拡大断面図。
【図２】本発明の多方向入力装置に係り、筺体を取り除いた状態を示す平面図。
【図３】本発明の多方向入力装置の要部の拡大断面図。
【図４】本発明の多方向入力装置に係り、絶縁基体の製造方法を示す平面図。
【図５】図４の５−５線における断面図。
【図６】本発明の多方向入力装置に係る作動体の平面図。
【図７】図６の７−７線における断面図。
【図８】本発明の多方向入力装置に係る駆動体の平面図。
【図９】図８の９−９線における断面図。
【図１０】本発明の多方向入力装置に係る操作体の平面図。
【図１１】図１０の１１−１１線における断面図。
【図１２】本発明の多方向入力装置に係る筺体の平面図。
【図１３】図１２の１３−１３線における断面図。
【図１４】従来の多方向入力装置の分解斜視図。
【符号の説明】
１  絶縁基体
１ａ  凹部
１ｂ  突壁
１ｃ  空間部
２  第１固定接点
２ａ  接点部
２ｂ  端子部
３  第２固定接点
３ａ  接点部
３ｂ  端子部
４  可動接点
Ｐ  プッシュスイッチ
５  絶縁基板
５ａ  基部
５ｂ  凸部
５ｃ  凹部
６  金属体（端子）
７  抵抗体
８  作動体
８ａ  孔
８ｂ  リング状部
８ｃ  脚部
９  可動接触部
１０  駆動体
１０ａ  基部
１０ｂ  凸部
１０ｃ  孔
１０ｄ  孔
１１  操作体
１１ａ  軸部
１１ｂ  鍔部
１１ｃ  凸部
１２  筺体
１２ａ  上面板
１２ｂ  孔
１２ｃ  側面板
１２ｄ  取付片
１２ｅ  取付部
Ｄ  電気部品
Ｇ  軸線
Ｓ  操作部材
【図１】
0003954784.tif 000002
【図２】
0003954784.tif 000003
【図３】
0003954784.tif 000004
【図４】
0003954784.tif 000005
【図５】
0003954784.tif 000006
【図６】
0003954784.tif 000007
【図７】
0003954784.tif 000008
【図８】
0003954784.tif 000009
【図９】
0003954784.tif 000010
【図１０】
0003954784.tif 000011
【図１１】
0003954784.tif 000012
【図１２】
0003954784.tif 000013
【図１３】
0003954784.tif 000014
【図１４】
0003954784.tif 000015